【手続補正書】
【提出日】令和3年6月25日(2021.6.25)
【手続補正１】
【補正対象書類名】特許請求の範囲
【補正対象項目名】全文
【補正方法】変更
【補正の内容】
【特許請求の範囲】
【請求項１】
コンピュータで実施される方法であって、
少なくとも１つのプロセッサによって、プレゼンテーションスライドにおいて複数のレイアウトセグメントを有するグラフィカルユーザインターフェイスを実施するステップであり、
前記複数のレイアウトセグメントのうち第１レイアウトセグメントは、前記第１レイアウトセグメントの中へ第１オブジェクトをインタラクティブに挿入することに応答して、第１レイアウト結果を自動的に生成するように構成された、第１レイアウトルールに関連付けられており、かつ、
前記複数のレイアウトセグメントのうち第２レイアウトセグメントは、前記第２レイアウトセグメントの中へ前記第１オブジェクトをインタラクティブに挿入することに応答して、第２レイアウト結果を自動的に生成するように構成された、第２レイアウトルールに関連付けられている、
ステップと、
前記グラフィカルユーザインターフェイスの前記プレゼンテーションスライド上に第２オブジェクトを表示しながら、前記少なくとも１つのプロセッサによって、入力ジェスチャを介して前記グラフィカルユーザインターフェイスにおいて第１オブジェクトを挿入する要求を受信するステップと、
前記少なくとも１つのプロセッサによって、前記挿入された第１オブジェクトが、前記複数のレイアウトセグメントのうち第1レイアウトセグメントに対応するか、または、前記複数のレイアウトセグメントのうち第２レイアウトセグメントに対応するか否か、を判断するステップと、
前記挿入された第１オブジェクトが、前記複数のレイアウトセグメントのうち前記第１レイアウトセグメントに対応するか、または、前記複数のレイアウトセグメントのうち前記第２レイアウトセグメントに対応するかの判断に応答して、
前記少なくとも1つのプロセッサによって、前記挿入された第１オブジェクトが前記第１レイアウトセグメントに対応するという判断に基づいて、前記第１レイアウトルールに従って、前記第２オブジェクトのサイズおよび位置のうち少なくとも1つを変更するステップと、
前記少なくとも1つのプロセッサによって、前記挿入された第１オブジェクトが前記第２レイアウトセグメントに対応するという判断に基づいて、前記第２レイアウトルールに従って、前記第２オブジェクトの前記サイズおよび前記位置のうちの少なくとも1つを変更するステップと、
前記少なくとも1つのプロセッサによって、前記グラフィカルユーザインターフェイスの前記プレゼンテーションスライド上に、前記挿入された第１オブジェクトおよび前記変更された第２オブジェクトを、同時に表示するステップと、
を含む、方法。
【請求項２】
前記第２オブジェクトを変更するステップは、さらに、
前記挿入された第１オブジェクトが第１レイアウトセグメントに対応するという判断に基づいて、前記第２オブジェクトの方向および前記第２オブジェクトの色のうち少なくとも1つを修正するステップ、
を含む、請求項１に記載の方法。
【請求項３】
前記第１オブジェクトは、写真、形状、ビデオ、アニメーション、または、テキストブロックである、
請求項１に記載の方法。
【請求項４】
前記グラフィカルユーザインターフェイスを実施するステップは、さらに、
複数のグリッド線に基づいて、前記複数のレイアウトセグメントを定めるステップ、
を含む、請求項１に記載の方法。
【請求項５】
前記方法は、さらに、
一式のスタイルプリファレンスに基づいて、コンフィグレーションファイルにおける前記第１レイアウトルールを定めるステップ、
を含む、請求項１に記載の方法。
【請求項６】
メモリと、
前記メモリに対して接続された少なくとも１つのプロセッサと、
を含む、システムであって、
前記少なくとも１つのプロセッサは、
プレゼンテーションスライドにおいて複数のレイアウトセグメントを有するグラフィカルユーザインターフェイスを実施し、
前記複数のレイアウトセグメントのうち第１レイアウトセグメントは、前記第１レイアウトセグメントの中へ第１オブジェクトをインタラクティブに挿入することに応答して、第１レイアウト結果を自動的に生成するように構成された、第１レイアウトルールに関連付けられており、かつ、
前記複数のレイアウトセグメントのうち第２レイアウトセグメントは、前記第２レイアウトセグメントの中へ前記第１オブジェクトをインタラクティブに挿入することに応答して、第２レイアウト結果を自動的に生成するように構成された、第２レイアウトルールに関連付けられており、
前記グラフィカルユーザインターフェイスの前記プレゼンテーションスライド上に第２オブジェクトを表示しながら、入力ジェスチャを介して前記グラフィカルユーザインターフェイスにおいて第１オブジェクトを挿入する要求を受信し、
前記挿入された第１オブジェクトが、前記複数のレイアウトセグメントのうち第1レイアウトセグメントに対応するか、または、前記複数のレイアウトセグメントのうち第２レイアウトセグメントに対応するか否か、を判断し、
前記挿入された第１オブジェクトが、前記複数のレイアウトセグメントのうち前記第１レイアウトセグメントに対応するか、または、前記複数のレイアウトセグメントのうち前記第２レイアウトセグメントに対応するかの判断に応答して、
前記挿入された第１オブジェクトが前記第１レイアウトセグメントに対応するという判断に基づいて、前記第１レイアウトルールに従って、前記第２オブジェクトのサイズおよび位置のうち少なくとも1つを変更し、
前記挿入された第１オブジェクトが前記第２レイアウトセグメントに対応するという判断に基づいて、前記第２レイアウトルールに従って、前記第２オブジェクトの前記サイズおよび前記位置のうちの少なくとも1つを変更し、
前記グラフィカルユーザインターフェイスの前記プレゼンテーションスライド上に、前記挿入された第１オブジェクトおよび前記変更された第２オブジェクトを、同時に表示する、
ように構成されている、システム。
【請求項７】
前記第２オブジェクトを変更するために、前記少なくとも１つのプロセッサは、さらに、
前記挿入された第１オブジェクトが第１レイアウトセグメントに対応するという判断に基づいて、前記第２オブジェクトの方向および前記第２オブジェクトの色のうち少なくとも1つを修正する、
ように構成されている、請求項６に記載のシステム。
【請求項８】
前記第１オブジェクトは、写真、形状、ビデオ、アニメーション、または、テキストブロックである、
請求項６に記載のシステム。
【請求項９】
前記前記グラフィカルユーザインターフェイスを実施するために、前記少なくとも１つのプロセッサは、さらに、
複数のグリッド線に基づいて、前記複数のレイアウトセグメントを定める、
ように構成されている、請求項６に記載のシステム。
【請求項１０】
前記少なくとも１つのプロセッサは、さらに、
一式のスタイルプリファレンスに基づいて、コンフィグレーションファイルにおける前記第１レイアウトルールを定める、
ように構成されている、請求項６に記載のシステム。
【請求項１１】
コンピュータで読取り可能な非一時的なデバイスであって、少なくとも１つのコンピューティングデバイスによって実行されると、前記少なくとも１つのコンピューティングデバイスにオペレーションを実行させるインストラクションが保管されており、
前記オペレーションは、
プレゼンテーションスライドにおいて複数のレイアウトセグメントを有するグラフィカルユーザインターフェイスを実施するステップであり、
前記複数のレイアウトセグメントのうち第１レイアウトセグメントは、前記第１レイアウトセグメントの中へ第１オブジェクトをインタラクティブに挿入することに応答して、第１レイアウト結果を自動的に生成するように構成された、第１レイアウトルールに関連付けられており、かつ、
前記複数のレイアウトセグメントのうち第２レイアウトセグメントは、前記第２レイアウトセグメントの中へ前記第１オブジェクトをインタラクティブに挿入することに応答して、第２レイアウト結果を自動的に生成するように構成された、第２レイアウトルールに関連付けられている、
ステップと、
前記グラフィカルユーザインターフェイスの前記プレゼンテーションスライド上に第２オブジェクトを表示しながら、入力ジェスチャを介して前記グラフィカルユーザインターフェイスにおいて第１オブジェクトを挿入する要求を受信するステップと、
前記挿入された第１オブジェクトが、前記複数のレイアウトセグメントのうち第1レイアウトセグメントに対応するか、または、前記複数のレイアウトセグメントのうち第２レイアウトセグメントに対応するか否か、を判断するステップと、
前記挿入された第１オブジェクトが、前記複数のレイアウトセグメントのうち前記第１レイアウトセグメントに対応するか、または、前記複数のレイアウトセグメントのうち前記第２レイアウトセグメントに対応するかの判断に応答して、
前記挿入された第１オブジェクトが前記第１レイアウトセグメントに対応するという判断に基づいて、前記第１レイアウトルールに従って、前記第２オブジェクトのサイズおよび位置のうち少なくとも1つを変更するステップと、
前記挿入された第１オブジェクトが前記第２レイアウトセグメントに対応するという判断に基づいて、前記第２レイアウトルールに従って、前記第２オブジェクトの前記サイズおよび前記位置のうちの少なくとも1つを変更するステップと、
前記グラフィカルユーザインターフェイスの前記プレゼンテーションスライド上に、前記挿入された第１オブジェクトおよび前記変更された第２オブジェクトを、同時に表示するステップと、
を含む、コンピュータで読取り可能な非一時的なデバイス。
【請求項１２】
前記第２オブジェクトを変更するステップは、さらに、
前記挿入された第１オブジェクトが第１レイアウトセグメントに対応するという判断に基づいて、前記第２オブジェクトの方向および前記第２オブジェクトの色のうち少なくとも1つを修正するステップ、
を含む、請求項１１に記載のコンピュータで読取り可能な非一時的なデバイス。
【請求項１３】
前記第１オブジェクトは、写真、形状、ビデオ、アニメーション、または、テキストブロックである、
請求項１１に記載のコンピュータで読取り可能な非一時的なデバイス。
【請求項１４】
前記前記オペレーションは、さらに、
一式のスタイルプリファレンスに基づいて、コンフィグレーションファイルにおける前記第１レイアウトルールを定めるステップ、
を含む、請求項１１に記載のコンピュータで読取り可能な非一時的なデバイス。
【請求項１５】
前記複数のレイアウトセグメントは、前記プレゼンテーションスライドの視覚的分割に対応する、
請求項1に記載の方法。